(57)【要約】      （修正有）【課題】通気性が良く、適度な弾力性を備えるクッションを提供する。【解決手段】網目状の表面部材で構成され、かつ、内部が空洞であり、使用者が体重を掛けることによって表面部材に力が加わった場合、外形状が潰れない程度の弾力性を備え、表面部材の材料が樹脂である。外形状は円筒形、又は、ドーナツ状である。【選択図】図１
0003179470.tif 000002
【実用新案登録請求の範囲】
【請求項１】
通気性を良くするために、表面が網目状の部材で構成され、かつ、内部が空洞であり、
使用者が体重を掛けることによって前記網目状の部材に力が加わった場合、外形状が潰れない程度の弾力性を備え、
前記網目状の部材の材料が樹脂であることを特徴とする多用途クッション。
【請求項２】
枕として使用可能であることを特徴とする請求項１に記載の多用途クッション。
【請求項３】
体位変換用のクッションとして使用可能であることを特徴とする請求項１に記載の多用途クッション。
【請求項４】
外形状が円筒形であり、大きさが人の掌に収まる程度であることを特徴とする請求項１に記載の多用途クッション。
【請求項５】
外形状がドーナツ形であることを特徴とする請求項１に記載の多用途クッション。
【考案の詳細な説明】
【技術分野】
【０００１】
枕、体位変換クッションなどとしても使用することができる多用途クッションの技術に関する。
【背景技術】
【０００２】
高齢や病気の理由で他人の介護を受ける人は、往々にして自分で身動きが取れない場合が多い。そのため、ベッド、布団などの寝具と被介護者の特定部位とが長時間に渡り密着した状態が継続され、被介護者の床ずれ、血行障害、疼痛、感覚マヒなどを引き起こす場合が有る。
【０００３】
そうした中、多少なりとも上記状況を改善するために、低反発性の素材、ビーズ、羽毛、蕎麦がら、竹素材などを用いた寝具（枕）、体位変換クッション、パッドなどの介護用品が提案されている。
【考案の概要】
【考案が解決しようとする課題】
【０００４】
しかしながら、上記のような介護用品は通気性が悪く、被介護者と当該介護用品の密着部位に熱が籠り易く、また、長時間体に当てていると痛くなり、被介護者に不快な思いをさせてしまうという問題点がある。
【０００５】
そこで本考案では、上記問題点に鑑み、被介護者に不快な思いをさせないように通気性が良く、被介護者が使用する寝具などの身の回り品として使うことができる程度に適度な弾力性を備える多用途クッションを提案することを目的とする。
【課題を解決するための手段】
【０００６】
開示する多用途クッションの一形態は、通気性を良くするために、表面が網目状の部材で構成され、かつ、内部が空洞であり、使用者が体重を掛けることによって前記網目状の部材に力が加わった場合、外形状が潰れない程度の弾力性を備え、前記網目状の部材の材料が樹脂であることを特徴とする。
また、開示する多用途クッションの一形態は、上記構成に加え、枕として使用することを特徴とする。
また、開示する多用途クッションの一形態は、上記構成に加え、体位変換用のクッションとして使用することを特徴とする。
また、開示する多用途クッションの一形態は、上記構成に加え、外形状が円筒形であり、大きさが人の掌に収まる程度であることを特徴とする。
また、開示する多用途クッションの一形態は、上記構成に加え、外形状がドーナツ形であることを特徴とする。
【考案の効果】
【０００７】
開示する多用途クッションは、被介護者に不快な思いをさせないように通気性が良く、被介護者が使用する寝具などの身の回り品として使うことができる程度に適度な弾力性を備える。
【図面の簡単な説明】
【０００８】
【図１】本実施の形態に係る多用途クッションの一例である枕を示す図である。
【図２】本実施の形態に係る多用途クッションの一例である枕の断面図（Ａ−Ａ断面図）である。
【図３】本実施の形態に係る多用途クッションの一例である体位変換クッション（又は多用途パッド）を示す図である。
【図４】本実施の形態に係る多用途クッションの一例であるドーナツ形クッションを示す図である。
【図５】本実施の形態に係る多用途クッションの一例である握り棒を示す図である。
【考案を実施するための形態】
【０００９】
図面を参照しながら、本考案を実施するための形態について説明する。
（本実施の形態に係る多用途クッションの構造）
【００１０】
図１乃至５を用いて、本実施の形態に係る多用途クッション１００の構造について説明する。図１は多用途クッション１００の一形態である枕１３０の斜視図であり、図２は枕１３０の断面図（図１のＡ−Ａ断面図）である。
【００１１】
図１及び２で示すように、多用途クッション１００は、表面が網目状の表面部材１２０で構成され、多用途クッション１００の内部１１０は空洞になっている。表面部材１２０は、多用途クッション１００の使用者が使用時に体重を掛けることによって力が加わった場合、外形状が大きく変形しない程度の弾力性（強度）を備えている。なお、多用途クッション１００は、所定の外形状を保たせる一定の強度を出すための骨組みを備える形態としても良い。表面部材１２０の材質は、大量生産を可能とするため、プラスチックなどの樹脂材であることが好適であり、抗菌機能が備わっていれば更に好適である。
【００１２】
多用途クッション１００は、介護の現場で使用することを想定している。また、多用途クッション１００は、このような構造を採用することによって、通気性が良いため、使用者である被介護者に不快な思いをさせることなく、適度な弾力を備えた寝具などの身の回り品として使用することができる。なお、枕１３０は、被介護者が横臥しているとき、被介護者を背中の方から支えるクッションとしても使用することができる。
【００１３】
多用途クッション１００の構造を説明するために、上記においては図１及び２で示すような多用途クッション１００の一形態である枕１３０を例として取り上げたが、上記特徴を有する限り、多用途クッション１００は介護現場における多様な用途に使用することができる。
【００１４】
例えば、図３で示すように、多用途クッション１００は、被介護者の体位変換を補助する器具である体位変換クッション１４０として使用することが可能である。ここで体位変換とは、自力で体位を変えることの出来ない人（被介護者）の床ずれ、血行障害、疼痛、感覚マヒ等の防止のため、介護者の介助によって、定期的に体位を換えることをいう。
【００１５】
また、多用途クッション１００の大きさを適宜変更することによって、被介護者の体の様々な部位に宛がって使用する多用途パッド１５０としても使用することが可能である。被介護者が長時間同じ姿勢で寝ていると体の同じ部分に圧迫が集中し、血行不良を起こしやがて床ずれの原因となるため、多用途クッション１００は、そのような事態を避けるための器具として使用する。
【００１６】
例えば、図４で示すように、多用途クッション１００の外形状をドーナツ形にすることによって、痔を患っている人が使用するために好適な円座クッション１６０としても使用することができる。
【００１７】
例えば、図５で示すように、多用途クッション１００の外形状を円筒形とし、その大きさを人の掌に収まる程度とした場合、被介護者に握らせて使用する握り棒１７０としても使用することが可能である。なお、図５では、握り棒１７０の両端が開いた形状を図示しているが、両端が閉じた形状であっても良く、その閉じ方についても外側に膨らんだ形状であっても良い。
【００１８】
なお、図３乃至５を用いて説明した多用途クッション１００の様々な使用形態においても、図１及び図２を用いて説明した「表面部材１１０が網目状になっている」、「表面部材１１０が適度な弾力性を備えている」、「内部１２０が空洞である」という特徴を備えている。また、多用途クッション１００は、上記のような各用途に応じ表面部材１１０が備える弾性力の大きさを適宜調整する。
【００１９】
（総括）
多用途クッション１００は、適度な弾力を備えるため、被介護者に必要以上の圧迫を体感させず、内部が空洞であるため、通気性が良く蒸れない。
多用途クッション１００（特に、枕１３０）は、寝たきりの老人又は病人の寝間着の着せ替えやオムツの取り換えなど、介護者が行う作業の負担を小さくする。
以上、本考案の実施の形態について詳述したが、本考案は係る特定の実施の形態に限定されるものではなく、実用新案登録請求の範囲に記載された本考案の要旨の範囲において、種々の変形・変更が可能である。
【符号の説明】
【００２０】
１００  多用途クッション
１１０  表面部材
１２０  クッション内部
１３０  枕
１４０  体位変換クッション
１５０  多用途パッド
１６０  ドーナツ形クッション
１７０  握り筒
【図１】
0003179470.tif 000003
【図２】
0003179470.tif 000004
【図３】
0003179470.tif 000005
【図４】
0003179470.tif 000006
【図５】
0003179470.tif 000007